(57)【要約】【課題】トイレ部門での役割とした構造、機能を持ち、節水、消音、消臭、跳ね返り、凍結しにくい、汚物、汚水等を速やかに運搬することができトイレ環境の爽快性、快適性を目指した下水道トータルシステムの構築に取り組む必要性があります。【解決の手段】図１は、フォール（滝）のイメージで水を便器の中心へ流し込むことで、爽やかな感覚、消音（水の引き込む音、女性が排尿、排便する際の音に対する繊細な反応）節水、跳ね返り、消臭等を抑える構造になっています。図２は、トラップの構造（水の引く力、押し上げる力）を強力にし、消音性にするために広角な入口、急勾配の壁、滑らかな壁にしてエアーが分散しやすい構造にしてあります。図３は、便器内部の汚物等を速やかに下水管に流入させるように一極に水を集中させ、下水専用管の内部構造を同様にしで連携を図りそれぞれの相乗効果を発揮できる調整がされています。【選択図】  図２
2004197547.tif 000002
【特許請求の範囲】
【請求項１】
トイレのイメージを爽快することで違和感をなくすために、便座部位から滝のように水を流すようにした構造。
【請求項２】
便器内部のトラップの中心を水の排出される方向から１０％逆にずらし、水の引き込む力と押し出す力の相互作用を強めた。また、便器内部排水部位を左右対称に一方を滑らかに且つ、逆側を急勾配にすることにより、エアーの抜ける速さと同時に消音効果、汚物（便、紙等）を分解及び吸引力をより一層強力なものにした。便器排水部位を広角に変形した台形型の構造にした。
【請求項３】
便器排水管部位を今回新たに新製品（下水道管専用）として連携されるパイプ構造と同じく、汚物、汚水、雑排水等をより早く下水本管及び終末処理場へ流入させる構造にした。
【発明の詳細な説明】
【０００１】
【発明の属する技術分野】
本発明は、節水効果、消音効果、便の跳ね返り、消臭効果、汚物処理及び爽快性を重視した下水道のトータルシステムの一部として、家庭排水、汚物排水と分けて汚物、汚水等のもたらす要因を、それぞれの視点から便座よりフォール（滝）のように水を便器内に流し込むことで、トイレのイメージを一新した内容になっている。
【０００２】
【従来の技術】
従来の技術というより、現在各メーカーが一番新しく出た製品と比較してもサイホンジェット式の送水の形態と平行して節水効果、消音効果、消臭効果等についてトイレの付加価値をつけ高価なものになっていますが、トイレ部門サイドでの発想しかないことが分かります。そのために、便器の焦点がずれているのに気づき、下水道のトータルシステムの一部の見地から排水処理の一段階の構造をより効果が大になるようになっていないのが現実です。
【０００３】
【発明の実態の形態】
本発明の趣旨は、図１の表している滝をイメージしたことによって先ず節水効果について考慮した場合、簡単なことですが便器には大便、小便用のコックがありますが果たして正しく使用されていますか。親が子供にそんな使い分けを指導していますか。また、世界中の女性を限定するといいささかという気がするのですがトイレの使用前、中間、使用後の水の使用量はご存知のとおりです。それでは、台所、浴室の水の使用法は、適切なんでしょうか。現在、節水便器が水の容量を制限して作られていますが、このようなことを考えれば節水と言えるのでしょうか。でも、これだけのことに限ったことではないのです。それは、４０ｍの配管に汚物、汚水を節水便器で流したら、便、紙（トイレットティシュ、便座シート）が実験上、節水をすればするほど水しか流れず汚物は残るだけではなく、家庭雑排水、ホテル、飲食店等の油と重なり、人間の血管と同様に動脈硬化を起こし再度工事をしなおさなければならないケースが多く見受けられます。体も定期検査をすれば維持できます。設備も同じことが言えます。この事についての原因は便座シート、トイレットティシュにあります。ですから、ただ節水をすればよいというものではありません。トイレサイド側からみれば下水管に送りさえすればという発想は、終末処理場の負荷をかけていることの実態の把握ができていないのが現実です。このフォール（滝）は、女性の汚水、汚物の排泄作用にはたらく繊細な意識を逆転の発想により、それらの音、臭いを消して爽やかなイメージを持つことで快適なトイレ環境を作っています。また、年頃の女子を持つ父親の存在感は、親父の入った後は臭くては入れないといった経験をお持ちになったことがあると思います。
図２では、便器内部排水部位及びとラップの内部構造について表現しています。Ａ、Ａダッシュ、Ｂ、Ｂダッシュについては、汚水、汚物等の排泄に伴うときにエアーを速やかに逃がし音を小さくすることができ、また、吸引力、押し出す力がパワーアップされ管内の汚物が集中して下水管の内部に流入し、より遠くまで流す構造になっています。また、トラップの底辺の中心をＣ，Ｃダッシュ、Ｄ，Ｄダッシュは従来のサイホンジェット式と対照した場合、いかに早く下水管に流入させ、水流を１つの力にまとめ易いかを比較した際、国土交通省（前建設省基準）よりはるかに効果をもたらしている。さらに、Ｆ，Ｆダッシュとの違いは、Ｅダッシュの出口を、ＣダッシュからＥダッシュの結ぶ点の勾配１０％上げることにより、より汚水等を一点に集めやすくＥダッシュからの専用下水管との連携作用により、スムースな流れと一層凍りにくく、付着率の少ない消音性を維持できる構造になります。
図３は、従来の水道管と同じ塩ビ管で下水管がありますが、先ほどらいから図１，２で説明のとおりです。如何に便器内汚物等を効果的に外部へ排泄するかに焦点は絞られています。そこで、今回の構造といえば便器同様下水管も上水道施設に用いる上水管と同じ塩ビ管で併用されていますが、同じ構造でいいはすがない事に疑問がなく現在に至って言いますが、性質上水と汚物では運搬上ことなることぐらいの発想お分かり頂けると思います。しかし、専用下水道管という物のその物がありません。そこで、便器の排泄口と下水管の受け口を同様な構造にすれば、下水道の第一段階におけるトータルシステムが完成します。勿論、下水道専用塩ビ管の特許申請をあわせて行っています。役割分担が、明確に今日までにされてきていなかったことも事実です。
【０００４】
【発明の効果】
このような発想すれば、上水道の水を運搬する仕組みは安全で衛生的な水且つスピーディーに供給することにあります。
しかし、下水道として汚物、汚水、雑排水等を各家庭、複合ビル、工場等からいく種類もの成分を含んだものを下水本管に効果的に流入させて、自治体が管理運営する終末処理場へ送り込んで、環境に適合する水質基準にして放流しています。また、中には半世紀及びそれ以上かけないと処理できない半原基が存在します。このことから、上水道の構造からすると下水道の施設の難しさは、お分かりいただけると同時に、上下水道設備に同じ構造のものが未だに使用されているのも解せない話です。  その理由の一つとして、下水道事業が始まるまでは汲み取りから水洗に変わりさらに、和式、洋式と多彩なデザインと工夫が消費者の立場から魅力的な感覚へと意識も変わってきたのも事実です。その上、各トイレメーカーが競ってトイレ環境の意識向上に向けて取り組んでいます。
しかし、下水道施設、下水道事業等からすればトイレメーカーサイド、管機材メーカーサイド、阻集器メーカーサイドでの独自の開発がなされてきています。今回、こうした一連の下水道設備を一本化した取り組みをすることにより、それぞれの部門の相乗効果及び下水道施設の意識改革の構築、展開につなげればと考え、下水道設備の立場から趣旨を理解し各部門での特許申請を行うことで１つのたたき台になればと考えます。（家庭排水――終末処理場――河川放流）
自然環境の保全の大切さを、さらに認識する必要があると思います。
結論からすれば、今までの環境については上下水道の感覚の違いを刷新することによって引き継がれる子供たちのために、そして地球環境のために残される何かに取り組むべきです。
【図１】
2004197547.tif 000003
【図２】
2004197547.tif 000004
【図３】
2004197547.tif 000005
【手続補正書】
【提出日】平成15年4月4日(2003.4.4)
【手続補正２】
【補正対象書類名】明細書
【補正対象項目名】図面の簡単な説明
【補正方法】変更
【補正の内容】
【図面の簡単な説明】
【図１】図１は、本考案に係るトイレの平面図、断面図です。
【図２】図２は、本考案に係るトイレの平面図、断面図です。
【図３】図３は、本考案に係るトイレの平面図、断面図です。